(57)【要約】【課題】好ましい装着感を装着者に与えることが可能な、跳ね上げ式の眼鏡を提供する。【解決手段】跳ね上げ式の眼鏡は保持枠とフロントバーと蝶番を備える。保持枠は第一レンズを保持する。蝶番は保持枠を回動自在に支持する。フロントバーは第一バー部と第二バー部と第一屈曲部と第二屈曲部と第三バー部によって形成される。第二バー部は幅方向の中央の側から端の側に向けて前後方向の後側に湾曲又は傾斜した形状とされる。第一屈曲部は、第一バー部に繋がり、前後方向の後側に屈曲した形状とされる。第二屈曲部は、第二バー部に繋がり、前後方向の前側に屈曲した形状とされる。第三バー部は第一屈曲部と第二屈曲部を繋ぐ。蝶番は第一駒片と第二駒片と軸部を備える。第一駒片は、幅方向において第三バー部と隣り合った状態で、第二バー部に固定される。第二駒片は保持枠に固定される。軸部は、第一駒片と第二駒片を連結し、回動する第二駒片の回動軸となる。【選択図】図２
2017026957.tif 000002
【特許請求の範囲】
【請求項１】
第一レンズが跳ね上げられた状態となる、跳ね上げ式の眼鏡であって、
前記第一レンズを保持する保持枠と、
前記眼鏡を装着した装着者の顔を左右に横断する状態で、前記装着者の顔の前方に配置されるフロントバーと、
前記保持枠と前記フロントバーとにそれぞれ固定され、前記フロントバーに対して、前記保持枠を回動自在に支持する蝶番と、を備え、
前記フロントバーは、
前記装着者の顔の幅に対応する幅方向おいて前記フロントバーの中央部を形成する第一バー部と、
前記第一バー部より前記幅方向の端の側となる前記フロントバーの側端部を形成し、且つ前記幅方向の中央の側から端の側に向けて、前記装着者の前後に対応する前後方向の後側に湾曲又は傾斜した形状の第二バー部と、
前記第一バー部に繋がり、且つ前記前後方向の後側に屈曲した形状の第一屈曲部と、
前記第二バー部に繋がり、且つ前記前後方向の前側に屈曲した形状の第二屈曲部と、
前記第一屈曲部と前記第二屈曲部とを繋ぐ第三バー部と、によって形成され、
前記蝶番は、
前記幅方向において前記第三バー部と隣り合った状態で、前記第二バー部に固定される第一駒片と、
前記保持枠に固定される第二駒片と、
前記第一駒片と前記第二駒片とを連結し、前記第一レンズを跳ね上げた状態とする場合に回動する前記第二駒片の回動軸となる軸部と、を備える、眼鏡。
【請求項２】
前記第二駒片には、前記前後方向の前側となる前記第二駒片の前端部に、前記保持枠に埋め込まれる埋込部が形成され、
前記第二駒片は、前記埋込部が前記保持枠に埋め込まれた状態で、前記保持枠に固定される、請求項１に記載の眼鏡。
【請求項３】
前記第一駒片では、前記装着者の上下に対応する上下方向から平面視した形状が、前記前後方向の前側が開口したコ字状とされ、
前記第二駒片では、
前記第一レンズが跳ね上げられていない状態で前記前後方向の後側となる前記第二駒片の後端部のうち、前記上下方向の上側となる上側部は、前記前後方向の後側に向けて、前記上下方向の下側に湾曲又は傾斜した面を含み、
前記第二駒片の後端部のうち、前記上側部より前記上下方向の下側となる下側部は、前記前後方向の後側となる後端面に平面を含み、
前記第二駒片は、前記第一駒片の互いに対向する第一辺部と第二辺部との間の収容室に設けられ、
前記下側部の後端面に含まれる平面は、前記第一レンズが跳ね上げられていない状態で、前記下側部の後端面に対向する前記第一駒片の前記収容室の底面に面接触する、請求項１又は請求項２に記載の眼鏡。
【請求項４】
第一レンズが跳ね上げられた状態となる、跳ね上げ式の眼鏡であって、
前記第一レンズを保持する保持枠と、
前記眼鏡を装着した装着者の顔を左右に横断する状態で、前記装着者の顔の前方に配置されるフロントバーと、
前記フロントバーと前記保持枠とにそれぞれ固定され、前記フロントバーに対して、前記保持枠を回動自在に支持する蝶番と、を備え、
前記蝶番は、
前記フロントバーに固定される第一駒片と、
前記保持枠に固定される第二駒片と、
前記第一駒片と前記第二駒片とを連結し、前記第一レンズを跳ね上げた状態とする場合に回動する前記第二駒片の回動軸となる軸部と、を備え、
前記第一駒片では、前記装着者の上下に対応する上下方向から平面視した形状が、前記装着者の前後に対応する前後方向の前側が開口したコ字状とされ、
前記第二駒片では、
前記第一レンズが跳ね上げられていない状態で前記前後方向の後側となる前記第二駒片の後端部のうち、前記上下方向の上側となる上側部は、前記前後方向の後側に向けて、前記上下方向の下側に湾曲又は傾斜した面を含み、
前記第二駒片の後端部のうち、前記上側部より前記上下方向の下側となる下側部は、前記前後方向の後側となる後端面に平面を含み、
前記第二駒片は、前記第一駒片の互いに対向する第一辺部と第二辺部との間の収容室に設けられ、
前記下側部の後端面に含まれる平面は、前記第一レンズが跳ね上げられていない状態で、前記下側部の後端面に対向する前記第一駒片の前記収容室の底面に面接触する、眼鏡。
【請求項５】
前記フロントバーは、前記第二レンズを保持し、
前記第二レンズは、前記第一レンズが跳ね上げられていない状態では、前記第一レンズの前記前後方向の後側に設けられる、請求項１から請求項４の何れか１項に記載の眼鏡。
【発明の詳細な説明】
【技術分野】
【０００１】
本発明は、レンズが跳ね上げられた状態となる、跳ね上げ式の眼鏡に関する。
【背景技術】
【０００２】
跳ね上げ式の眼鏡に関する技術が提案されている。特許文献１には、レンズ脱着式の跳ね上げ眼鏡が開示されている。この眼鏡は、ブローバーと、跳ね上げビームと、インナー枠を備える。ブローバーには、両側にテンプルがそれぞれ連結される。跳ね上げビームは、両サイドで、ブローバーの左右の眉形部にヒンジ連結される。インナー枠は、ブリッジとレンズ固定部を含む。ブリッジは、跳ね上げビームの中央下部の背面に着脱自在に取り付けられる。レンズ固定部は、ブリッジの両側に設けられる。レンズ固定部には、左右のレンズが装着される。
【先行技術文献】
【特許文献】
【０００３】
【特許文献１】特開２０１３−８８５３９号公報
【発明の概要】
【発明が解決しようとする課題】
【０００４】
跳ね上げ式の眼鏡は、保持枠と、フロントバーと、蝶番を備える。保持枠は、跳ね上げられた状態となるレンズを保持する。フロントバーは、眼鏡を装着した装着者の顔を左右に横断する状態で、装着者の顔の前方に配置される。蝶番は、保持枠とフロントバーにそれぞれ固定され、フロントバーに対して、保持枠を回動自在に支持する。
【０００５】
跳ね上げ式の眼鏡の使用時に、左右のテンプルの間隔が、装着されていない場合の間隔より広くなることがある。例えば、跳ね上げ式の眼鏡が装着されると、前述したような状態となることがある。左右のテンプルの間隔が広くなると、変形するテンプルに作用する力が、フロントバーに作用する。これに伴い、フロントバーが、前後方向の前側に変形することがある。この場合、フロントバーでは、幅方向の端の側となる部分程、変形量が大きくなる。幅方向は、装着者の顔の幅に対応する方向である。前後方向は、装着者の前後に対応する方向である。レンズが跳ね上げられていない状態では、フロントバーの変形量が大きくなると、保持枠とフロントバーの間隔が狭くなり、例えば、変形量が大きくなるフロントバーの部分では、保持枠と接触することが想定される。
【０００６】
フロントバーと保持枠が接触すると、テンプルの広がりも規制される。そのため、装着者に、好ましい装着感を与えることができなくなることもある。顔の幅は、人毎に異なる。保持枠とフロントバーの間隔を広く取れる構造を有する跳ね上げ式の眼鏡では、顔の幅が広い装着者であっても、フロントバーと保持枠の接触を抑制することが可能となる。その結果、顔の幅に関わらず、多くの装着者に、好ましい装着感を与えることができる。
【０００７】
本発明は、好ましい装着感を装着者に与えることが可能な、跳ね上げ式の眼鏡を提供することを目的とする。
【課題を解決するための手段】
【０００８】
本発明の一側面は、第一レンズが跳ね上げられた状態となる、跳ね上げ式の眼鏡であって、前記第一レンズを保持する保持枠と、前記眼鏡を装着した装着者の顔を左右に横断する状態で、前記装着者の顔の前方に配置されるフロントバーと、前記保持枠と前記フロントバーとにそれぞれ固定され、前記フロントバーに対して、前記保持枠を回動自在に支持する蝶番と、を備え、前記フロントバーは、前記装着者の顔の幅に対応する幅方向おいて前記フロントバーの中央部を形成する第一バー部と、前記第一バー部より前記幅方向の端の側となる前記フロントバーの側端部を形成し、且つ前記幅方向の中央の側から端の側に向けて、前記装着者の前後に対応する前後方向の後側に湾曲又は傾斜した形状の第二バー部と、前記第一バー部に繋がり、且つ前記前後方向の後側に屈曲した形状の第一屈曲部と、前記第二バー部に繋がり、且つ前記前後方向の前側に屈曲した形状の第二屈曲部と、前記第一屈曲部と前記第二屈曲部とを繋ぐ第三バー部と、によって形成され、前記蝶番は、前記幅方向において前記第三バー部と隣り合った状態で、前記第二バー部に固定される第一駒片と、前記保持枠に固定される第二駒片と、前記第一駒片と前記第二駒片とを連結し、前記第一レンズを跳ね上げた状態とする場合に回動する前記第二駒片の回動軸となる軸部と、を備える、眼鏡である。
【０００９】
この構成によれば、フロントバーでは、前後方向における保持枠と第二バー部の間隔を、第一レンズが跳ね上げられていない状態で、保持枠と第一バー部の間隔より広くすることができる。従って、幅方向の端の側の領域において、保持枠とフロントバーの間隔を広くすることができる。前後方向においてフロントバーが前側に移動できる空間が広くなり、フロントバーの変形量を大きくすることができる。フロントバーが変形した際の保持枠とフロントバーの接触を抑制することができる。
【００１０】
この眼鏡において、前記第二駒片には、前記前後方向の前側となる前記第二駒片の前端部に、前記保持枠に埋め込まれる埋込部が形成され、前記第二駒片は、前記埋込部が前記保持枠に埋め込まれた状態で、前記保持枠に固定される、ようにしてもよい。この構成によれば、第二駒片を保持枠に固定することができる。例えば、保持枠が樹脂によって形成される場合、第二駒片を、樹脂製の保持枠に固定することができる。
【００１１】
この眼鏡において、前記第一駒片では、前記装着者の上下に対応する上下方向から平面視した形状が、前記前後方向の前側が開口したコ字状とされ、前記第二駒片では、前記第一レンズが跳ね上げられていない状態で前記前後方向の後側となる前記第二駒片の後端部のうち、前記上下方向の上側となる上側部は、前記前後方向の後側に向けて、前記上下方向の下側に湾曲又は傾斜した面を含み、前記第二駒片の後端部のうち、前記上側部より前記上下方向の下側となる下側部は、前記前後方向の後側となる後端面に平面を含み、前記第二駒片は、前記第一駒片の互いに対向する第一辺部と第二辺部との間の収容室に設けられ、前記下側部の後端面に含まれる平面は、前記第一レンズが跳ね上げられていない状態で、前記下側部の後端面に対向する前記第一駒片の前記収容室の底面に面接触する、ようにしてもよい。この構成によれば、第一レンズを、スムーズに跳ね上げることができる。第一レンズを跳ね上げ時と反対の側に回動させ、第一レンズが跳ね上げられていない状態とする場合、第二駒片の後端部の下側部における後端面内の平面が、第一駒片の収容室の底面に面接触することで、この回動を規制し停止することができる。第一レンズが跳ね上げられていない状態において、第一レンズを、装着者の眼の前方の所定の位置に配置することができる。
【００１２】
本発明の他の側面は、第一レンズが跳ね上げられた状態となる、跳ね上げ式の眼鏡であって、前記第一レンズを保持する保持枠と、前記眼鏡を装着した装着者の顔を左右に横断する状態で、前記装着者の顔の前方に配置されるフロントバーと、前記フロントバーと前記保持枠とにそれぞれ固定され、前記フロントバーに対して、前記保持枠を回動自在に支持する蝶番と、を備え、前記蝶番は、前記フロントバーに固定される第一駒片と、前記保持枠に固定される第二駒片と、前記第一駒片と前記第二駒片とを連結し、前記第一レンズを跳ね上げた状態とする場合に回動する前記第二駒片の回動軸となる軸部と、を備え、前記第一駒片では、前記装着者の上下に対応する上下方向から平面視した形状が、前記装着者の前後に対応する前後方向の前側が開口したコ字状とされ、前記第二駒片では、前記第一レンズが跳ね上げられていない状態で前記前後方向の後側となる前記第二駒片の後端部のうち、前記上下方向の上側となる上側部は、前記前後方向の後側に向けて、前記上下方向の下側に湾曲又は傾斜した面を含み、前記第二駒片の後端部のうち、前記上側部より前記上下方向の下側となる下側部は、前記前後方向の後側となる後端面に平面を含み、前記第二駒片は、前記第一駒片の互いに対向する第一辺部と第二辺部との間の収容室に設けられ、前記下側部の後端面に含まれる平面は、前記第一レンズが跳ね上げられていない状態で、前記下側部の後端面に対向する前記第一駒片の前記収容室の底面に面接触する、眼鏡である。
【００１３】
この構成によれば、第一レンズを、スムーズに跳ね上げることができる。第一レンズを跳ね上げ時と反対の側に回動させ、第一レンズが跳ね上げられていない状態とする場合、第二駒片の後端部の下側部における後端面内の平面が、第一駒片の収容室の底面に面接触することで、この回動を規制し停止することができる。第一レンズが跳ね上げられていない状態において、第一レンズを、装着者の眼の前方の所定の位置に配置することができる。
【００１４】
上述した何れかの眼鏡では、前記フロントバーは、前記第二レンズを保持し、前記第二レンズは、前記第一レンズが跳ね上げられていない状態では、前記第一レンズの前記前後方向の後側に設けられる、ようにしてもよい。この構成によれば、上述した機能を奏する複式跳ね上げ式の眼鏡とすることができる。
【発明の効果】
【００１５】
本発明によれば、好ましい装着感を装着者に与えることが可能な、跳ね上げ式の眼鏡を得ることができる。
【図面の簡単な説明】
【００１６】
【図１】単式跳ね上げ式の眼鏡の概略構成の一例を示す正面図である。（Ａ）は、第一レンズが跳ね上げられていない状態を示す。（Ｂ）は、第一レンズが跳ね上げられた状態を示す。
【図２】図１に示す眼鏡の平面図である。上段は、テンプルが開かれた状態を示す。下段は、テンプルが閉じられた状態を示す。上段及び下段共に、第一レンズが跳ね上げられていない状態を示す。
【図３】図１に示す眼鏡の側面図である。（Ａ）は、第一レンズが跳ね上げられていない状態を示す。（Ｂ）は、（Ａ）に示す眼鏡の前後方向の前側の部分の拡大図である。（Ｃ）は、第一レンズが跳ね上げられた状態を示す。
【図４】（Ａ）は、図２上段に示すＤ−Ｄ線断面図である。（Ｂ）は、図２上段に示すＥ−Ｅ線断面図である。
【図５】（Ａ）は、図２上段に示すＦ部拡大図である。（Ｂ）は、図２上段に示すＧ部拡大図である。
【図６】第一レンズを跳ね上げる場合における第一駒片と第二駒片の関係を示す断面図である。幅方向の左側に設けられる蝶番に関する。破断位置は、図２上段に示すＤ−Ｄ線に対応する。（I）は、第一レンズが跳ね上げられていない状態を示す。（II）は、第一レンズの跳ね上げ途中の状態を示す。（III）は、第一レンズが跳ね上げられた状態を示す。
【図７】第一レンズを跳ね上げる場合における第一駒片と第二駒片の関係を示す断面図である。幅方向の右側に設けられる蝶番に関する。破断位置は、図２下段に示すＥ−Ｅ線に対応する。（I）は、第一レンズが跳ね上げられていない状態を示す。（II）は、第一レンズの跳ね上げ途中の状態を示す。（III）は、第一レンズが跳ね上げられた状態を示す。
【図８】第一駒片と第二駒片と軸部の概略構成を示す断面図である。第一駒片と第二駒片と軸部を組み立て蝶番とする状態を示す。（Ａ）は、幅方向の左側に設けられる蝶番に関する。（Ｂ）は、幅方向の右側に設けられる蝶番に関する。
【図９】第二駒片の概略構成を示す斜視図である。
【図１０】保持枠と蝶番の固定構造の他の例を示す図である。（Ａ）は、固定構造の概略構成を示す平面部分断面図である。図示範囲は、図２上段のＦ部に対応する。（Ｂ）は、固定構造の概略構成を示す平面部分断面図である。図示範囲は、図２上段のＧ部に対応する。
【図１１】図１０に示す固定構造を形成する第二駒片の一例を示す斜視図である。
【発明を実施するための形態】
【００１７】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１８】
＜眼鏡＞
跳ね上げ式の眼鏡１０について、図１〜図９を参照して説明する。実施形態では、眼鏡１０を特定するために用いる各方向は、眼鏡１０を装着した装着者を基準とした方向に準ずる。即ち、幅方向は、眼鏡１０を装着した装着者の顔の幅に対応する。幅方向の左側は、この装着者の左側であり、幅方向の右側は、この装着者の右側である。幅方向の左右は、眼鏡１０の正面図である図１を正面視したときの左右とは反対となる。前後方向は、眼鏡１０を装着した装着者の前後に対応する。前後方向の前側は、この装着者の前側であり、前後方向の後側は、この装着者の後側である。装着者の前側は、装着者の正面側であって、例えば、装着者の顔の側である。装着者の後側は、装着者の背面側であって、例えば、装着者の後頭部の側である。上下方向は、眼鏡１０を装着した装着者の上下に対応する方向である。上下方向は、鉛直方向となる。上下方向の上側は、この装着者の上側であり、上下方向の下側は、この装着者の下側である。
【００１９】
跳ね上げ式の眼鏡としては、単式跳ね上げ式の眼鏡と複式跳ね上げ式の眼鏡がある。実施形態では、単式跳ね上げ式の眼鏡１０を例として説明する。単式跳ね上げ式の眼鏡１０では、第一レンズ１１Ｌ，１１Ｒが跳ね上げられていない状態（図１（Ａ）、図２及び図３（Ａ），（Ｂ）参照）で、装着者の左眼及び右眼に対応してそれぞれ設けられるレンズの枚数は、各眼当たり１枚とされる。
【００２０】
眼鏡１０は、第一レンズ１１Ｌ，１１Ｒと、保持枠２０と、フロントバー３０と、蝶番５０Ｌ，５０Ｒと、ヨロイ７０Ｌ，７０Ｒと、テンプル７１Ｌ，７１Ｒと、蝶番７２Ｌ，７２Ｒを備える。実施形態では、第一レンズ１１Ｌ，１１Ｒを区別せず、又はこれらを総称する場合、「第一レンズ１１」という。蝶番５０Ｌ，５０Ｒを区別せず、又はこれらを総称する場合、「蝶番５０」という。「第一レンズ」との名称について、後述する複式跳ね上げ式の眼鏡における「第二レンズ」と区別するため、眼鏡１０におけるレンズを、便宜的に「第一レンズ１１」という。
【００２１】
第一レンズ１１Ｌは、装着者の左眼用のレンズであり、第一レンズ１１Ｒは、装着者の右眼用のレンズである（図１（Ａ）及び図２上段参照）。第一レンズ１１は、公知の跳ね上げ式の眼鏡が備えるレンズと同様である。従って、第一レンズ１１に関するこの他の説明は、省略する。
【００２２】
保持枠２０は、第一レンズ１１を保持する。実施形態では、保持枠２０は、公知のハーフリム式の眼鏡におけるハーフリムと同様の構成とされている。このような構成の保持枠２０は、保持部２１Ｌ，２１Ｒと、連結部２３と、ナイロール２５Ｌ，２５Ｒによって形成される（図１参照）。保持部２１Ｌ，２１Ｒは、連結部２３によって連結される。保持部２１Ｌ，２１Ｒと連結部２３は、金属材料によって一体的に形成される。金属材料としては、チタン合金が例示される。実施形態では、保持部２１Ｌ，２１Ｒを区別せず、又はこれらを総称する場合、「保持部２１」という。
【００２３】
保持部２１Ｌには、ナイロール２５Ｌが取り付けられ、保持部２１Ｒには、ナイロール２５Ｒが取り付けられる（図１（Ｂ）参照）。保持枠２０において、第一レンズ１１Ｌは、保持部２１Ｌとナイロール２５Ｌによって保持され、第一レンズ１１Ｒは、保持部２１Ｒとナイロール２５Ｒによって保持される（図１、図３及び図４参照）。保持枠２０による第一レンズ１１の保持は、前述した公知のハーフリム式の眼鏡と同様である。従って、これに関するこの他の説明は、省略する。
【００２４】
フロントバー３０は、装着者の顔を左右に横断する状態で、装着者の顔の前方に配置される（図２上段参照）。フロントバー３０は、例えば、金属材料によって一体的に形成される。フロントバー３０を形成する金属材料としては、チタン合金が例示される。フロントバー３０は、第一バー部３１と、第二バー部３３Ｌ，３３Ｒと、第一屈曲部３５Ｌ，３５Ｒと、第二屈曲部３７Ｌ，３７Ｒと、第三バー部３９Ｌ，３９Ｒによって形成される（図１（Ｂ）、図２及び図５参照）。フロントバー３０は、左右対称の形状とされる。
【００２５】
実施形態では、第二バー部３３Ｌ，３３Ｒを区別せず、又はこれらを総称する場合、「第二バー部３３」という。第一屈曲部３５Ｌ，３５Ｒを区別せず、又はこれらを総称する場合、「第一屈曲部３５」という。第二屈曲部３７Ｌ，３７Ｒを区別せず、又はこれらを総称する場合、「第二屈曲部３７」という。第三バー部３９Ｌ，３９Ｒを区別せず、又はこれらを総称する場合、「第三バー部３９」という。
【００２６】
第一バー部３１は、幅方向においてフロントバー３０の中央部を形成する（図２参照）。第一バー部３１には、鼻パッド４１Ｌ，４１Ｒが設けられる（図１（Ｂ）及び図３（Ｃ）参照）。鼻パッド４１Ｌは、眼鏡１０が装着者に装着された状態で、装着者の鼻の左側に接する。鼻パッド４１Ｒは、眼鏡１０が装着者に装着された状態で、装着者の鼻の右側に接する。鼻パッド４１Ｌ，４１Ｒを第一バー部３１に設けることで、第一レンズ１１の跳ね上げに関わらず、鼻パッド４１Ｌ，４１Ｒが装着者の鼻の所定の位置に接することとなり、テンプル７１Ｌ，７１Ｒと共に、眼鏡１０を、装着者の頭部に支持することができる。
【００２７】
第二バー部３３は、第一バー部３１より幅方向の端の側となるフロントバー３０の側端部を形成する。第二バー部３３は、幅方向の中央の側から端の側に向けて前後方向の後側に湾曲した形状とされる。即ち、第二バー部３３Ｌは、第一バー部３１より幅方向の左側となるフロントバー３０の左側端部を形成し、幅方向の中央の側から左側に向けて、前後方向の後側に湾曲した形状とされる（図２参照）。第二バー部３３Ｒは、第一バー部３１より幅方向の右側となるフロントバー３０の右側端部を形成し、幅方向の中央の側から右側に向けて、前後方向の後側に湾曲した形状とされる（図２参照）。
【００２８】
第一バー部３１と第二バー部３３は、第一レンズ１１が跳ね上げられていない状態において、前後方向に隣り合う保持枠２０の部分に沿った形状とされる（図２参照）。従って、第一レンズ１１が跳ね上げられていない状態では、保持枠２０と第二バー部３３の前後方向の間隔は、保持枠２０と第一バー部３１の前後方向の間隔より広くなる。
【００２９】
第一屈曲部３５は、第一バー部３１に繋がる。即ち、第一屈曲部３５Ｌは、第一バー部３１の幅方向の左側に繋がり、第一屈曲部３５Ｒは、第一バー部３１の幅方向の右側に繋がる（図２及び図５参照）。第一屈曲部３５Ｌは、前後方向の後側に屈曲した形状とされ、第一屈曲部３５Ｒは、前後方向の後側に屈曲した形状とされる（図２及び図５参照）。第二屈曲部３７は、第二バー部３３に繋がる。即ち、第二屈曲部３７Ｌは、第二バー部３３Ｌの幅方向の右側に繋がり、第二屈曲部３７Ｒは、第二バー部３３Ｒの幅方向の左側に繋がる（図２及び図５参照）。第二屈曲部３７Ｌは、前後方向の前側に屈曲した形状とされ、第二屈曲部３７Ｒは、前後方向の前側に屈曲した形状とされる（図２及び図５参照）。第三バー部３９は、第一屈曲部３５と第二屈曲部３７を繋ぐ。即ち、第三バー部３９Ｌは、第一屈曲部３５Ｌと第二屈曲部３７Ｌを繋ぎ、第三バー部３９Ｒは、第一屈曲部３５Ｒと第二屈曲部３７Ｒを繋ぐ（図２及び図５参照）。
【００３０】
蝶番５０は、保持枠２０とフロントバー３０にそれぞれ固定される。即ち、蝶番５０Ｌは、第一バー部３１を基準として幅方向の左側に設けられ、保持部２１Ｌと第二バー部３３Ｌにそれぞれ固定される（図２及び図５（Ａ）参照）。蝶番５０Ｒは、第一バー部３１を基準として幅方向の右側に設けられ、保持部２１Ｒと第二バー部３３Ｒにそれぞれ固定される（図２及び図５（Ｂ）参照）。蝶番５０は、フロントバー３０に対して、第一レンズ１１を保持した保持枠２０を回動自在に支持する（図６及び図７参照）。蝶番５０Ｌ，５０Ｒは、左右対称の形状とされる。蝶番５０Ｌは、第一駒片５１Ｌと、第二駒片５７Ｌと、軸部６０Ｌを備える（図５（Ａ）参照）。蝶番５０Ｒは、第一駒片５１Ｒと、第二駒片５７Ｒと、軸部６０Ｒを備える（図５（Ｂ）参照）。
【００３１】
実施形態では、第一駒片５１Ｌ，５１Ｒを区別せず、又はこれらを総称する場合、「第一駒片５１」という。第二駒片５７Ｌ，５７Ｒを区別せず、又はこれらを総称する場合、「第二駒片５７」という。軸部６０Ｌ，６０Ｒを区別せず、又はこれらを総称する場合、「軸部６０」という。
【００３２】
第一駒片５１Ｌは、幅方向の右側において第三バー部３９Ｌと隣り合った状態で、第二バー部３３Ｌの前後方向の後側に湾曲した部分に固定される（図５（Ａ）参照）。ここで、第一駒片５１Ｌが固定される第二バー部３３Ｌの部分は、前後方向の前側となる面とされる。第一駒片５１Ｒは、幅方向の左側において第三バー部３９Ｒと隣り合った状態で、第二バー部３３Ｒの前後方向の後側に湾曲した部分に固定される（図５（Ｂ）参照）。ここで、第一駒片５１Ｒが固定される第二バー部３３Ｒの部分は、前後方向の前側となる面とされる。第二バー部３３への第一駒片５１の固定は、例えば、ろう付けによって行われる。第一駒片５１では、平面視した形状が、前後方向の前側が開口したコ字状とされる（図５及び図８参照）。
【００３３】
第二駒片５７Ｌは、保持部２１Ｌに固定され、第二駒片５７Ｒは、保持部２１Ｒに固定される（図５参照）。ここで、第二駒片５７Ｌが固定される保持部２１Ｌの部分は、第一レンズ１１が跳ね上げられていない状態で、前後方向の後側となる面とされる。第二駒片５７Ｒが固定される保持部２１Ｒの部分は、第一レンズ１１が跳ね上げられていない状態で、前後方向の後側となる面とされる。保持枠２０への第二駒片５７の固定は、例えば、ろう付けによって行われる。
【００３４】
第一駒片５１を第二バー部３３の前後方向の前側の面に固定し、第二駒片５７を保持部２１の前後方向の後側の面に固定することで、次のような視覚的効果を得ることができる。即ち、眼鏡１０を正面視したとき、第一レンズ１１が跳ね上げられていない状態では、蝶番５０を、保持枠２０に隠した状態とすることができる（図１（Ａ）参照）。第一レンズ１１が跳ね上げられていない状態の眼鏡１０を装着している装着者を正面から視認した第三者に、眼鏡１０が、跳ね上げ式ではない、通常の眼鏡であるといった印象を与えることができる。
【００３５】
第二駒片５７では、第二駒片５７の後端部の上側部は、前後方向の後側に向けて、上下方向の下側に湾曲した面（曲面）を含む（図４及び図９参照）。第二駒片５７の後端部は、第一レンズ１１が跳ね上げられていない状態で、前後方向の後側となる第二駒片５７の部分である。図９と後述する図１１に付された黒丸のドット模様は、第二駒片５７の後端部の上側部における湾曲した面を示す。第二駒片５７では、第二駒片５７の後端部の下側部は、前後方向の後側となる後端面に平面を含む（図４及び図９参照）。第二駒片５７の後端部の下側部は、第二駒片５７の後端部の上側部より上下方向の下側となる、第二駒片５７の後端部の部分である。図９と後述する図１１に付された格子模様は、第二駒片５７の後端部の下側部における平面を示す。
【００３６】
軸部６０Ｌは、第一駒片５１Ｌと第二駒片５７Ｌを連結し、軸部６０Ｒは、第一駒片５１Ｒと第二駒片５７Ｒを連結する（図８参照）。第一レンズ１１が跳ね上げられた状態（図１（Ｂ）及び図３（Ｃ）参照）とする場合、軸部６０Ｌは、回動する第二駒片５７Ｌの回動軸となり、軸部６０Ｒは、回動する第二駒片５７Ｒの回動軸となる（図６及び図７参照）。軸部６０は、例えば、所定のねじのねじ部によって形成される。
【００３７】
第二駒片５７Ｌは、第一駒片５１Ｌの互いに対向する第一辺部５２Ｌと第二辺部５４Ｌの間の収容室ＴＬに嵌め込まれる（図８（Ａ）参照）。第二駒片５７Ｌが収容室ＴＬに嵌め込まれた状態で、軸部６０Ｌは、第一辺部５２Ｌに形成された貫通穴５３Ｌと、第二駒片５７Ｌに形成された貫通穴５８Ｌに通され、第二辺部５４Ｌに形成されたねじ穴５５Ｌにねじ止めされる。第二駒片５７Ｒは、第一駒片５１Ｒの互いに対向する第一辺部５２Ｒと第二辺部５４Ｒの間の収容室ＴＲに嵌め込まれる（図８（Ｂ）参照）。第二駒片５７Ｒが収容室ＴＲに嵌め込まれた状態で、軸部６０Ｒは、第一辺部５２Ｒに形成された貫通穴５３Ｒと、第二駒片５７Ｒに形成された貫通穴５８Ｒに通され、第二辺部５４Ｒに形成されたねじ穴５５Ｒにねじ止めされる。
【００３８】
蝶番５０は、第一レンズ１１が跳ね上げられていない状態では、図４に示す状態となる。即ち、蝶番５０Ｌでは、第二駒片５７Ｌの後端部の下側部における後端面内の平面が、この後端面に対向する第一駒片５１Ｌの底面５６Ｌに面接触する（図４（Ａ）参照）。蝶番５０Ｒでは、第二駒片５７Ｒの後端部の下側部における後端面内の平面が、この後端面に対向する第一駒片５１Ｒの底面５６Ｒに面接触する（図４（Ｂ）参照）。実施形態では、底面５６Ｌ，５６Ｒを区別せず、又はこれらを総称する場合、「底面５６」という。
【００３９】
第一レンズ１１が跳ね上げられていない状態から第一レンズ１１を跳ね上げるとする（図６及び図７参照）。この場合、蝶番５０Ｌでは、第二駒片５７Ｌが軸部６０Ｌを中心として回動し、第二駒片５７Ｌの前端部が上下方向の上側に移動する（図６（I），（II）参照）。蝶番５０Ｒでは、第二駒片５７Ｒが軸部６０Ｒを中心として回動し、第二駒片５７Ｒの前端部が上下方向の上側に移動する（図７（I），（II）参照）。第二駒片５７の前端部は、第一レンズ１１が跳ね上げられていない状態で、前後方向の前側となる第二駒片５７の部分である。このとき、第二駒片５７Ｌの後端部の上側部は、底面５６Ｌに沿って、上下方向の下側に移動し、第二駒片５７Ｒの後端部の上側部は、底面５６Ｒに沿って、上下方向の下側に移動する。
【００４０】
その後、第二駒片５７Ｌでは、第一レンズ１１が跳ね上げられていない状態で、上下方向の上側となる面の所定の位置が、底面５６Ｌの上下方向の上側の端部に接触する（図６（III）参照）。第二駒片５７Ｒでは、第一レンズ１１が跳ね上げられていない状態で、上下方向の上側となる面の所定の位置が、底面５６Ｒの上下方向の上側の端部に接触する（図７（III）参照）。図９と後述する図１１に付された白丸のドット模様は、第二駒片５７の上下方向の上側の面を示す。これに伴い、軸部６０Ｌを中心とした第二駒片５７Ｌの回動と軸部６０Ｒを中心とした第二駒片５７Ｒの回動は、共に規制され停止する。眼鏡１０は、図１（Ｂ）及び図３（Ｃ）に示す状態となる。
【００４１】
ヨロイ７０Ｌは、フロントバー３０（第二バー部３３Ｌ）の幅方向の左側の端部に設けられ、ヨロイ７０Ｒは、フロントバー３０（第二バー部３３Ｒ）の幅方向の右側の端部に設けられる（図１下段及び図２参照）。ヨロイ７０Ｌとテンプル７１Ｌは、蝶番７２Ｌを介して連結され、ヨロイ７０Ｒとテンプル７１Ｒは、蝶番７２Ｒを介して連結される（図２参照）。テンプル７１Ｌは、蝶番７２Ｌによって、ヨロイ７０Ｌ（フロントバー３０）に対して所定の範囲を回動自在となる。テンプル７１Ｒは、蝶番７２Ｒによって、ヨロイ７０Ｒ（フロントバー３０）に対して所定の範囲を回動自在となる。装着者は、例えば、眼鏡１０を装着しない場合、公知の眼鏡と同様、テンプル７１Ｌ，７１Ｒを折り畳み閉じることができる（図２下段参照）。ヨロイ７０Ｌ，７０Ｒとテンプル７１Ｌ，７１Ｒと蝶番７２Ｌ，７２Ｒは、公知の眼鏡も備える構成である。従って、これらに関するこの他の説明は、省略する。
【００４２】
＜実施形態の効果＞
実施形態によれば、次のような効果を得ることができる。
【００４３】
（１）フロントバー３０は、第一バー部３１と、第二バー部３３と、第一屈曲部３５と、第二屈曲部３７と、第三バー部３９によって形成される（図１（Ｂ）、図２及び図５参照）。第一バー部３１は、幅方向においてフロントバー３０の中央部を形成する。第二バー部３３は、第一バー部３１より幅方向の端の側となるフロントバー３０の側端部を形成し、且つ幅方向の中央の側から端の側に向けて、装着者の前後に対応する前後方向の後側に湾曲した形状とされる。第一屈曲部３５は、第一バー部３１に繋がり、且つ前後方向の後側に屈曲した形状とされる。第二屈曲部３７は、第二バー部３３に繋がり、且つ前後方向の前側に屈曲した形状とされる。第三バー部３９は、第一屈曲部３５と第二屈曲部３７を繋ぐ。眼鏡１０では、蝶番５０の第一駒片５１は、幅方向において第三バー部３９と隣り合った状態で、第二バー部３３に固定される。蝶番５０の第二駒片５７は、保持枠２０（保持部２１）に固定される。
【００４４】
そのため、フロントバー３０では、前後方向における保持枠２０と第二バー部３３の間隔を、第一レンズ１１が跳ね上げられていない状態で、保持枠２０と第一バー部３１の間隔より広くすることができる。従って、幅方向の端の側の領域において、保持枠２０とフロントバー３０の間隔を広くすることができる。前後方向においてフロントバー３０が前側に移動できる空間が広くなり、フロントバー３０の変形量を大きくすることができる。フロントバー３０が変形した際の保持枠２０とフロントバー３０の接触を抑制することができる。
【００４５】
（２）第一駒片５１では、平面視した形状が、前後方向の前側が開口したコ字状とされる（図５及び図８参照）。第二駒片５７では、後端部の上側部は、前後方向の後側に向けて、上下方向の下側に湾曲した面を含み、後端部の下側部は、後端面に平面を含む（図４及び図９参照）。第二駒片５７の後端部の下側部における後端面内の平面は、第一レンズ１１が跳ね上げられていない状態で、底面５６に面接触する（図４、図６、図７及び図９参照）。そのため、第一レンズ１１を、スムーズに跳ね上げることができる。第一レンズ１１を跳ね上げ時と反対の側に回動させ、第一レンズ１１が跳ね上げられていない状態とする場合（図６及び図７で、（III），（II），（I）の順参照）、第二駒片５７の後端部の下側部における後端面内の平面が底面５６に面接触することで、この回動を規制し停止することができる。第一レンズ１１が跳ね上げられていない状態において、第一レンズ１１を、装着者の眼の前方の所定の位置に配置することができる。
【００４６】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００４７】
（１）上記では、単式跳ね上げ式の眼鏡１０を例として説明した。フロントバー３０と蝶番５０による実施形態の跳ね上げ構造は、複式跳ね上げ式の眼鏡に採用することもできる。複式跳ね上げ式の眼鏡では、左眼及び右眼のそれぞれに対するレンズの数は、各２枚とされる。即ち、複式跳ね上げ式の眼鏡は、保持枠２０に保持される第一レンズ１１Ｌ，１１Ｒに対応する２枚の第一レンズに加え、左眼用及び右眼用の第二レンズを備える。第二レンズは、第一レンズが跳ね上げられていない状態では、第一レンズの前後方向の後側に設けられる。
【００４８】
左眼用及び右眼用の第二レンズは、フロントバーを形成する所定の構造によって保持される。複式跳ね上げ式の眼鏡のフロントバーは、フロントバー３０と同様、第一バー部３１と第二バー部３３Ｌ，３３Ｒと第一屈曲部３５Ｌ，３５Ｒと第二屈曲部３７Ｌ，３７Ｒと第三バー部３９Ｌ，３９Ｒに対応する各部を備える。更に、このフロントバーには、フロントバー３０と同様、２個の鼻パッドが、第一バー部３１に対応する部分に設けられる。複式跳ね上げ式の眼鏡が装着された場合、左眼用の第二レンズは、跳ね上げられることなく、装着者の左眼の前方に配置され、右眼用の第二レンズは、跳ね上げられることなく、装着者の右眼の前方に配置される。複式跳ね上げ式の眼鏡は、公知の跳ね上げ式の眼鏡であるため、これに関するこの他の説明は、省略する。
【００４９】
（２）上記では、第二バー部３３は、幅方向の中央の側から端の側に向けて、前後方向の後側に湾曲した形状とされる（図２参照）。第二バー部は、幅方向の中央の側から端の側に向けて、前後方向の後側に傾斜した形状（直線的な形状）としてもよい。この場合、幅方向の左側に設けられる第二バー部は、幅方向の中央の側から左側に向けて、前後方向の後側に傾斜した形状とされる。幅方向の右側に設けられる第二バー部は、幅方向の中央の側から右側に向けて、前後方向の後側に傾斜した形状とされる。
【００５０】
（３）上記では、前後方向における保持枠２０と第一バー部３１の間隔は、一定の寸法とされる。前後方向における保持枠２０と第二バー部３３の間隔は、一定の寸法とされる。保持枠及び／又はフロントバーは、前後方向における保持枠と第一バー部の間隔が、所定の範囲で変化する形状としてもよい。保持枠及び／又はフロントバーは、前後方向における保持枠と第二バー部の間隔が、所定の範囲で変化する形状としてもよい。例えば、第二バー部は、幅方向の中央の側から左側及び右側に向かうに従い、前後方向における保持枠との間隔が漸次増加する形状としてもよい。この場合、保持枠とフロントバーは、前後方向における保持枠と第二バー部の間隔の最小値が、前後方向における保持枠と第一バー部の間隔の最大値より広くなる形状とされる。
【００５１】
（４）上記では、第二駒片５７の後端部の上側部は、前後方向の後側に向けて、上下方向の下側に湾曲した面（曲面）とされる（図４及び図９参照）。第二駒片の後端部の上側部は、前後方向の後側に向けて、上下方向の下側に傾斜した面（平面）を含むようにしてもよい。この他、第二駒片の後端部の上側部は、図９のような、凸状の湾曲した面とは異なり、凹状の湾曲した面（曲面）を含むようにしてもよい。
【００５２】
（５）上記では、保持枠２０の材質を金属とし、保持枠２０と蝶番５０（第二駒片５７）の固定を、ろう付けによって行う構成を例として説明した。第一レンズ１１を保持する保持枠は、ろう付けが行えない材質で形成されることもある。例えば、樹脂製の保持枠とされることがある。そこで、保持枠が樹脂製である場合を例として、樹脂製の保持枠と蝶番の固定構造の概略を、図１０及び図１１を参照して説明する。この説明では、上述した実施形態との対応を明らかにするため、各部に対する符号は、上記と同じとする。
【００５３】
第二駒片５７Ｌには、前後方向の前側となる第二駒片５７Ｌの前端部に、埋込部５９Ｌが形成される（図１０（Ａ）参照）。第二駒片５７Ｒには、前後方向の前側となる第二駒片５７Ｒの前端部に、埋込部５９Ｒが形成される（図１０（Ｂ）参照）。保持枠２０が樹脂製である場合、第二駒片５７Ｌ，５７Ｒは、埋込部５９Ｌ，５９Ｒが保持枠２０に埋め込まれた状態で、保持枠２０に固定される。即ち、第二駒片５７Ｌでは、埋込部５９Ｌが保持部２１Ｌに埋め込まれ、第二駒片５７Ｒでは、埋込部５９Ｒが保持部２１Ｒに埋め込まれる。
【００５４】
保持部２１Ｌでは、埋込部５９Ｌが埋め込まれる部分を、前後方向に肉厚とし、保持部２１Ｒでは、埋込部５９Ｒが埋め込まれる部分を、前後方向に肉厚としてもよい。図１０（Ａ）に示す例では、保持部２１Ｌは、幅方向の左側の領域が前後方向に肉厚とされ、埋込部５９Ｌは、この肉厚とされた保持部２１Ｌの部分に埋め込まれている。図１０（Ｂ）に示す例では、保持部２１Ｒは、幅方向の右側の領域が前後方向に肉厚とされ、埋込部５９Ｒは、この肉厚とされた保持部２１Ｒの部分に埋め込まれている。第二駒片は、屈曲せずに、保持部に埋め込まれることとなる埋込部が、第二駒片の前端部に直線的に形成された形状としてもよい。
【００５５】
保持部２１Ｌへの埋込部５９Ｌの埋め込みと、保持部２１Ｒへの埋込部５９Ｒの埋め込みは、例えば、保持枠２０を樹脂成形する際に行われる。即ち、保持枠２０の樹脂成形に際し、第二駒片５７Ｌ，５７Ｒが、成形金型の所定の位置に適宜セットされる。保持枠２０の樹脂成形は、第二駒片５７Ｌ，５７Ｒが成形金型にセットされた状態で行われる。これによって、第二駒片５７Ｌ，５７Ｒが、保持枠２０を形成する樹脂と一体成形され、所定の位置に埋め込まれた保持枠２０とすることができる。但し、保持部２１Ｌ，２１Ｒに穴部を形成し、保持部２１Ｌに形成された穴部に、埋込部５９Ｌを嵌め込み、保持部２１Ｒに形成された穴部に、埋込部５９Ｒを嵌め込むようにしてもよい。この場合、各穴部への埋込部５９Ｌ，５９Ｒの嵌め込みは、圧入とされる。
【００５６】
埋込部５９Ｌでは、第二駒片５７Ｌの屈曲位置から埋込部５９Ｌが伸長する方向に垂直な断面は、多角形状とされる。埋込部５９Ｒでは、第二駒片５７Ｒの屈曲位置から埋込部５９Ｒが伸長する方向に垂直な断面は、多角形状とされる。図１１に示す例では、埋込部５９Ｌ，５９Ｒは、前述した断面が長方形状とされている。埋込部５９Ｌ，５９Ｒは、前述した断面が三角形又は五角形以上の多角形状としてもよい。この構成によれは、第一レンズ１１を保持した保持枠２０が、埋込部５９Ｌ，５９Ｒに対して回動することを抑制することができる。
【００５７】
第二駒片５７Ｌでは、埋込部５９Ｌの幅方向の左側の端部に凹凸が形成され、第二駒片５７Ｒでは、埋込部５９Ｒの幅方向の右側の端部に凹凸が形成されている（図１１参照）。この構成によれば、保持部２１Ｌからの埋込部５９Ｌの抜け強度を向上させ、保持部２１Ｒからの埋込部５９Ｒの抜け強度を向上させることができる。樹脂製の保持枠２０に対して、蝶番５０Ｌ，５０Ｒを確実に固定することができる。埋込部５９Ｌ，５９Ｒに形成する抜け紡糸の構成は、図１１とは異なる形状としてもよい。埋込部５９Ｌ，５９Ｒの抜けが問題とならないこともある。このような場合、凹凸のような抜け防止の構成は、省略してもよい。
【００５８】
（６）上記では、第一駒片５１について、平面視した形状が、前後方向の前側が開口したコ字状とされる（図５及び図８参照）。第二駒片５７では、後端部の上側部は、前後方向の後側に向けて、上下方向の下側に湾曲した面を含み、後端部の下側部は、後端面に平面を含む（図４及び図９参照）。第二駒片５７の後端部の下側部における後端面内の平面は、第一レンズ１１が跳ね上げられていない状態で、底面５６に面接触する（図４及び図６（I）及び図７（I）参照）。第一レンズ１１の跳ね上げ構造を形成する蝶番としては、公知の蝶番を採用することもできる。
【００５９】
（７）上記では、保持枠２０を、公知のハーフリム式の眼鏡におけるハーフリムと同様の構成とした。保持枠は、公知のフルリム式の眼鏡におけるリムと同様の構成としてもよい。フルリム式の保持枠では、幅方向の左側に設けられる保持部と幅方向の右側に設けられる保持部は、環状とされ、連結部によって連結される。フルリム式の保持枠による第一レンズ１１の保持は、公知のフルリム式の眼鏡と同様にして行われる。ナイロール２５Ｌ，２５Ｒは、省略される。
【００６０】
（８）上述した実施形態によれば、フロントバー３０の形状に関わらず、上記同様の蝶番５０（図８及び図９〜図１１参照）を備える跳ね上げ式の眼鏡を特定することもできる。第一駒片５１は、装着者の顔を左右に横断する状態で、装着者の顔の前方に配置される所定の形状のフロントバーの所定の位置に固定される。シンプルな構成で、第一レンズ１１のスムーズな跳ね上げが可能となるといった、上述したような効果を得ることができる。
【符号の説明】
【００６１】
１０  眼鏡、  １１，１１Ｌ，１１Ｒ  第一レンズ、  ２０  保持枠
２１，２１Ｌ，２１Ｒ  保持部、  ２３  連結部、  ２５Ｌ，２５Ｒ  ナイロール
３０  フロントバー、  ３１  第一バー部、  ３３，３３Ｌ，３３Ｒ  第二バー部
３５，３５Ｌ，３５Ｒ  第一屈曲部、  ３７，３７Ｌ，３７Ｒ  第二屈曲部
３９，３９Ｌ，３９Ｒ  第三バー部、  ４１Ｌ，４１Ｒ  鼻パッド
５０，５０Ｌ，５０Ｒ  蝶番、  ５１，５１Ｌ，５１Ｒ  第一駒片
５２Ｌ，５２Ｒ  第一辺部、  ５３Ｌ，５３Ｒ  貫通穴、  ５４Ｌ，５４Ｒ  第二辺部
５５Ｌ，５５Ｒ  ねじ穴、  ５６，５６Ｌ，５６Ｒ  底面
５７，５７Ｌ，５７Ｒ  第二駒片、  ５８Ｌ，５８Ｒ  貫通穴
５９Ｌ，５９Ｒ  埋込部、  ６０，６０Ｌ，６０Ｒ  軸部、  ７０Ｌ，７０Ｒ  ヨロイ
７１Ｌ，７１Ｒ  テンプル、  ７２Ｌ，７２Ｒ  蝶番、  ＴＬ，ＴＲ  収容室
【図１】
2017026957.tif 000003
【図２】
2017026957.tif 000004
【図３】
2017026957.tif 000005
【図４】
2017026957.tif 000006
【図５】
2017026957.tif 000007
【図６】
2017026957.tif 000008
【図７】
2017026957.tif 000009
【図８】
2017026957.tif 000010
【図９】
2017026957.tif 000011
【図１０】
2017026957.tif 000012
【図１１】
2017026957.tif 000013